(57)【要約】【課題】意図しない導光孔から光が漏れるのをより効果的に抑制することが可能な表示装置を提供する。【解決手段】このＴＶ１００（表示装置）では、レンズ部材４０の連結部４４は、後方向に突出するＵ字状の起伏部４６を含むとともに、Ｕ字状の起伏部４６の頂部４６ａには、前後方向に貫通する貫通孔４６ｂが設けられている。また、フロントキャビネット１０は、額縁部１１の後面１２ｄから後方向に向かって突出するとともに、起伏部４６の貫通孔４６ｂを貫通するように形成され、光の透過を抑制する突起部１４を含む。【選択図】図５
2015192318.tif 000002
【特許請求の範囲】
【請求項１】
枠状の額縁部を含むとともに、前記額縁部の所定の部分に複数の導光孔が設けられた筐体と、
前記枠状の額縁部に囲まれた領域から露出するように配置された表示部と、
前記導光孔の少なくとも１つから出射される光を生じさせる光源と、
前記光源が取り付けられるとともに、前記導光孔が形成された前記額縁部の後面に対して略垂直な前後方向に沿って前記筐体に取り付けられる基板と、
前記複数の導光孔のそれぞれに対応するように配置され、光を導光する複数のレンズ部と、前記レンズ部同士を連結する連結部とを含む１つのレンズ部材とを備え、
前記レンズ部材の連結部は、後方向に突出するＵ字状の起伏部を含むとともに、前記Ｕ字状の起伏部の頂部には、前記前後方向に貫通する貫通孔が設けられ、
前記筐体は、前記額縁部の後面から前記後方向に向かって突出するとともに、前記Ｕ字状の起伏部の貫通孔を貫通するように形成され、光の透過を抑制する遮光部を含む、表示装置。
【請求項２】
前記レンズ部材の前記レンズ部は、前記光源からの光が入光する入光部を有し、
前記入光部は、前記レンズ部材の前記入光部周辺よりも前記光源に向かって突出するように形成されている、請求項１に記載の表示装置。
【請求項３】
前記レンズ部材の前記レンズ部は、外部からの光が受光される受光部をさらに有し、
前記遮光部は、前記受光部と前記入光部との間に位置する前記連結部において前記起伏部の前記貫通孔を貫通するように構成されている、請求項２に記載の表示装置。
【請求項４】
前記遮光部は、前記前後方向と直交する上下方向に延びる第１遮光部と、前記前後方向および前記上下方向と直交する左右方向に延びる第２遮光部とを有する、請求項１〜３のいずれか１項に記載の表示装置。
【請求項５】
前記筐体には、前記第１遮光部とともに前記基板を挟み込む挟持部が、前記第１遮光部と一体的に形成されている、請求項４に記載の表示装置。
【請求項６】
前記第２遮光部は、前記基板に取り付けられた前記光源側に向かって前記左右方向に延びるように形成されている、請求項４または５に記載の表示装置。
【請求項７】
前記第１遮光部は、前記基板に取り付けられた前記光源の前記左右方向の両側にそれぞれ配置されている、請求項４〜６のいずれか１項に記載の表示装置。
【請求項８】
前記遮光部が前記起伏部の貫通孔の内面と当接することによって、前記レンズ部材が前記筐体に対して位置決めされるように構成されている、請求項１〜７のいずれか１項に記載の表示装置。
【発明の詳細な説明】
【技術分野】
【０００１】
この発明は、表示装置に関し、特に、光を導光する複数のレンズ部を有するレンズ部材を備える表示装置に関する。
【背景技術】
【０００２】
従来、光を導光する複数のレンズ部を有するレンズ部材を備える電子機器が知られている（たとえば、特許文献１参照）。
【０００３】
上記特許文献１には、複数の点灯表示部が設けられたフロントパネルと、点灯表示部が設けられた面に対して平行になるようにフロントパネルに取付けられ、複数のＬＥＤが取り付けられた基板と、複数のＬＥＤから発光される光をフロントパネルの複数の点灯表示部にそれぞれ導光する複数のレンズ部を含むレンズ群（レンズ部材）とを備える、電子機器が開示されている。この電子機器のレンズ群は、複数のＬＥＤおよび点灯表示部の各々に対応する複数の導光レンズと、導光レンズ同士を接続する連結部とを含んでおり、連結部には、基板からフロントパネルに向かって突出するＵ字状の起伏部が設けられている。これにより、レンズ群では、Ｕ字状の起伏部によって、連結部が直線状に形成された場合と比べて、意図しない導光レンズ（対応する導光レンズに隣接する導光レンズなど）にＬＥＤからの光が到達しにくくなるように構成されている。
【先行技術文献】
【特許文献】
【０００４】
【特許文献１】特開２００８−９６７４５号公報
【発明の概要】
【発明が解決しようとする課題】
【０００５】
しかしながら、上記特許文献１の電子機器では、起伏部の内部を通過して、光が隣接する導光レンズまで到達する場合があると考えられる。この場合、隣接する導光レンズに対応する点灯表示部などの意図しない点灯表示部から光が漏れてしまう場合があり、より効果的な光漏れ対策が望まれている。
【０００６】
この発明は、上記のような課題を解決するためになされたものであり、この発明の１つの目的は、意図しない導光孔から光が漏れるのをより効果的に抑制することが可能な表示装置を提供することである。
【課題を解決するための手段】
【０００７】
この発明の一の局面による表示装置は、枠状の額縁部を含むとともに、額縁部の所定の部分に複数の導光孔が設けられた筐体と、枠状の額縁部に囲まれた領域から露出するように配置された表示部と、導光孔の少なくとも１つから出射される光を生じさせる光源と、光源が取り付けられるとともに、導光孔が形成された額縁部の後面に対して略垂直な前後方向に沿って筐体に取り付けられる基板と、複数の導光孔のそれぞれに対応するように配置され、光を導光する複数のレンズ部と、レンズ部同士を連結する連結部とを含む１つのレンズ部材とを備え、レンズ部材の連結部は、後方向に突出するＵ字状の起伏部を含むとともに、Ｕ字状の起伏部の頂部には、前後方向に貫通する貫通孔が設けられ、筐体は、額縁部の後面から後方向に向かって突出するとともに、起伏部の貫通孔を貫通するように形成され、光の透過を抑制する遮光部を含む。
【０００８】
この発明の一の局面による表示装置では、上記のように、筐体に、額縁部の後面から後方向に向かって突出するとともに、Ｕ字状の起伏部の貫通孔を貫通するように形成され、光の透過を抑制する遮光部を設けることによって、Ｕ字状の起伏部の内部を通過する光を遮光部によって遮ることができるので、起伏部の内部を通過した光が意図しない導光孔から光が漏れるのをより効果的に抑制することができる。また、遮光部を、起伏部の頂部に設けられた貫通孔を貫通するように形成することによって、レンズ部材内を移動してレンズ部材の起伏部の頂部に到達した光を、起伏部の貫通孔と遮光部とにより遮ることができるので、これによっても、意図しない導光孔から光が漏れるのをより効果的に抑制することができる。また、筐体に光の透過を抑制する遮光部を設けることにより、筐体以外の他の部材を光の透過を抑制する部材として設ける必要がないので、部品点数が増加するのを抑制することができる。
【０００９】
上記一の局面による表示装置において、好ましくは、レンズ部材のレンズ部は、光源からの光が入光する入光部を有し、入光部は、レンズ部材の入光部周辺よりも光源に向かって突出するように形成されている。このように構成すれば、意図しない光が入光部周辺のレンズ部材から入光部に入るのを抑制することができるので、意図しない光が入光部を介して導光孔から漏れるのをより一層効果的に抑制することができる。
【００１０】
この場合、好ましくは、レンズ部材のレンズ部は、外部からの光が受光される受光部をさらに有し、遮光部は、受光部と入光部との間に位置する連結部において起伏部の貫通孔を貫通するように構成されている。このように構成すれば、入光部に入射した光が連結部を介して受光部側に到達するのを、遮光部および起伏部により抑制することができるので、受光部に対応する導光孔から光が漏れるのをより効果的に抑制することができるとともに、受光部に余計な光が入射するのもより効果的に抑制することができる。
【００１１】
上記一の局面による表示装置において、好ましくは、遮光部は、前後方向と直交する上下方向に延びる第１遮光部と、前後方向および上下方向と直交する左右方向に延びる第２遮光部とを有する。このように構成すれば、第１遮光部により上下方向と交差する方向からの光の透過を抑制することができるとともに、第２遮光部により左右方向と交差する方向からの光の透過を抑制することができる。これにより、起伏部の内部を通過する光をより一層効果的に遮ることができる。
【００１２】
この場合、好ましくは、筐体には、第１遮光部とともに基板を挟み込む挟持部が、第１遮光部と一体的に形成されている。このように構成すれば、第１遮光部と一体的に形成された挟持部を用いて基板を挟み込むことができるので、第１遮光部と挟持部とを別々に設ける場合と比べて、筐体の構成を簡略化することができる。
【００１３】
上記遮光部が第１遮光部と第２遮光部とを有する構成において、好ましくは、第２遮光部は、基板に取り付けられた光源側に向かって左右方向に延びるように形成されている。このように構成すれば、第２遮光部により、光源に近い部分における光の透過を抑制することができるので、第２遮光部によって光を効果的に遮ることができる。これにより、意図しない導光孔から光が漏れるのをより効果的に抑制することができる。
【００１４】
上記遮光部が第１遮光部と第２遮光部とを有する構成において、好ましくは、第１遮光部は、基板に取り付けられた光源の左右方向の両側にそれぞれ配置されている。このように構成すれば、光源を左右方向の両側から覆うように第１遮光部を設けることができるので、広範囲における光を効果的に遮ることができる。これにより、意図しない導光孔から光が漏れるのをより一層効果的に抑制することができる。
【００１５】
上記一の局面による表示装置において、好ましくは、遮光部が起伏部の貫通孔の内面と当接することによって、レンズ部材が筐体に対して位置決めされるように構成されている。このように構成すれば、遮光部を貫通孔に挿入するだけでレンズ部材を筐体に対して位置決めすることができるので、レンズ部材の筐体に対する組み付けを容易に行うことができる。
【発明の効果】
【００１６】
本発明によれば、上記のように、意図しない導光孔から光が漏れるのをより効果的に抑制することが可能な表示装置を提供することができる。
【図面の簡単な説明】
【００１７】
【図１】本発明の第１実施形態によるＴＶの全体構成を示した図である。
【図２】本発明の第１実施形態によるフロントキャビネットを後側から見た平面図である。
【図３】本発明の第１実施形態によるフロントキャビネットを示した拡大斜視図である。
【図４】本発明の第１実施形態によるフロントキャビネットを後側から見た拡大平面図である。
【図５】本発明の第１実施形態によるＴＶのレンズ部材周辺を示した拡大斜視図である。
【図６】本発明の第１実施形態によるＴＶのレンズ部材周辺を後側から見た拡大平面図である。
【図７】図６の１１０−１１０線に沿った断面図である。
【図８】図６の１２０−１２０線に沿った断面図である。
【図９】図６の１３０−１３０線に沿った断面図である。
【図１０】本発明の第１実施形態によるレンズ部材を示した斜視図である。
【図１１】本発明の第１実施形態によるレンズ部材を別角度から示した斜視図である。
【図１２】本発明の第１実施形態によるレンズ部材を示した平面図である。
【図１３】本発明の第２実施形態によるレンズ部材周辺を後側から見た拡大平面図である。
【図１４】本発明の第３実施形態によるレンズ部材を示した斜視図である。
【発明を実施するための形態】
【００１８】
以下、本発明の実施形態を図面に基づいて説明する。
【００１９】
（第１実施形態）
図１〜図１２を参照して、本発明の第１実施形態によるＴＶ（テレビジョン装置）１００の構成について説明する。なお、ＴＶ１００は、本発明の「表示装置」の一例である。
【００２０】
本発明の第１実施形態によるＴＶ１００は、図１に示すように、ＴＶ１００の前側（Ｘ１側）に配置されたフロントキャビネット１０を備えている。また、フロントキャビネット１０は、前後方向（Ｘ方向）から見た平面視において、略長方形形状を有する枠状の額縁部１１を有している。また、枠状の額縁部１１に囲まれた領域（開口部１１ａ）には、開口部１１ａから露出するように表示部２０が配置されている。なお、表示部２０には、図示しない液晶モジュール、ＬＥＤモジュールおよびメイン基板などが含まれており、画像を前側（Ｘ１側）に向かって表示可能なように構成されている。また、フロントキャビネット１０は、黒色の樹脂により形成されている。つまり、フロントキャビネット１０は、光（可視光）をほとんど透過および反射させないように構成されている。なお、フロントキャビネット１０は、本発明の「筺体」の一例である。
【００２１】
また、フロントキャビネット１０の額縁部１１は、図２に示すように、ＴＶ１００の前後方向（Ｘ方向）に対して直交する前面部１２と、前面部１２の下側（Ｚ２側）において、前後方向に延びる外周部１３とを含んでいる。また、フロントキャビネット１０の前面部１２のうち、ＴＶ１００の短手方向であるＺ方向における下側（Ｚ２側）の外周部１３近傍で、かつ、ＴＶ１００の長手方向である左右方向（Ｙ方向）の中央近傍には、３つの導光孔１２ａ、１２ｂおよび１２ｃが設けられている。
【００２２】
導光孔１２ａ、１２ｂおよび１２ｃは、図３および図４に示すように、Ｙ１側からＹ２側に向かって順に並ぶように配置されているとともに、前面部１２を前後方向（Ｘ方向）に貫通するように形成されている。また、導光孔１２ａ、１２ｂおよび１２ｃのうち、Ｙ方向の両側の導光孔１２ａおよび１２ｃは、前後方向から見た平面視において略同一の円状に形成されており、Ｙ方向の中央の導光孔１２ｂは、前後方向から見た平面視において導光孔１２ａおよび１２ｃよりも大きな径を有する円状に形成されている。なお、導光孔１２ａは、ＴＶ１００のオンオフの表示を、出射される光の色を切り替えることによって表示するために設けられており、導光孔１２ｃは、ＴＶ１００に接続される図示しないＤＶＤ再生装置の接続状態を、出射される光の色を切り替えることによって表示するために設けられている。また、導光孔１２ｂは、図示しない赤外線リモコンなどからの所定の波長の光を受光するために設けられている。
【００２３】
また、図５および図６に示すように、フロントキャビネット１０の額縁部１１の前面部１２のうち、後面１２ｄ（Ｘ２側の面）には、基板３０と、１つのレンズ部材４０と、基板３０に接続されるアースプレート５０とが配置されている。
【００２４】
また、図２〜図４に示すように、額縁部１１における前面部１２の後面１２ｄには、基板３０およびレンズ部材４０を位置決めおよび固定するための一対の突起部１４および１５と、レンズ部材４０を位置決めおよび固定するための一対のフック部１６および１７とが設けられている。この一対の突起部１４および１５は、図２に示すように、前面部１２のうち、外周部１３近傍で、かつ、左右方向（Ｙ方向）の中央近傍に設けられているとともに、図３に示すように、後面１２ｄに対して略垂直な後方向（Ｘ２方向）に向かって延びるように突出している。同様に、一対のフック部１６および１７は、図２に示すように、前面部１２のうち、外周部１３近傍で、かつ、左右方向の中央近傍に設けられているとともに、図３に示すように、後面１２ｄに対して略垂直な後方向に向かって延びる壁部１６ａおよび１７ａを有している。なお、突起部１４および１５は、本発明の「遮光部」の一例である。
【００２５】
また、Ｙ１側の突起部１４は、導光孔１２ａと導光孔１２ｂとの間に形成されているとともに、Ｙ２側の突起部１５は、導光孔１２ｂと導光孔１２ｃとの間に形成されている。また、Ｙ１側のフック部１６は、Ｙ１側の突起部１４および導光孔１２ａよりも外側（Ｙ１側）に設けられているとともに、Ｙ２側のフック部１７は、Ｙ２側の突起部１５および導光孔１２ｃよりも外側（Ｙ２側）に設けられている。
【００２６】
また、図４に示すように、突起部１４および１５は、上下方向（Ｚ方向）に延びるフロントキャビネット１０の中心線Ｓに対して鏡像対称になるように形成されているとともに、フック部１６および１７は、中心線Ｓに対して鏡像対称になるように形成されている。したがって、これ以降、Ｙ１側の突起部１４およびフック部１６について詳細に説明し、Ｙ２側の突起部１５およびフック部１７については簡単に説明する。
【００２７】
Ｙ１側の突起部１４は、図３および図４に示すように、上下方向（Ｚ方向）に延びる第１壁部１４１と、左右方向（Ｙ方向）に延びる第２壁部１４２とを有している。また、第２壁部１４２は、第１壁部１４１のＺ２側の下端近傍から、後述するＬＥＤ３１ａ側（Ｙ１側）に向かって延びるように形成されている。つまり、Ｙ１側の突起部１４は、後側（Ｘ２側）から平面的に見て逆Ｌ字状に形成されている。なお、第１壁部１４１および第２壁部１４２は、それぞれ、本発明の「第１遮光部」および「第２遮光部」の一例である。
【００２８】
第１壁部１４１は、基板３０を挟み込むための挟持部１４１ａと、最も後側（Ｘ２側）に突出する突出部１４１ｂと、突出部１４１ｂと挟持部１４１ａとの間に設けられ、突出部１４１ｂよりも突出量が小さい段差部１４１ｃと、突出部１４１ｂよりも下側（Ｚ２側）に設けられ、突出部１４１ｂよりも突出量が小さい段差部１４１ｄとを有している。挟持部１４１ａは、第１壁部１４１の前側（Ｘ１側）の端部周辺に第１壁部１４１と一体的に形成されている。また、挟持部１４１ａと段差部１４１ｃとは溝部によって分割されており、その溝部に基板３０が挟持されるように構成されている。また、基板３０が溝部に挟み込まれた状態で、挟持部１４１ａの下側の面（溝部のＺ１側の内面）は、基板３０の上面（Ｚ１側の面）に当接するとともに、段差部１４１ｃの上側の面（溝部のＺ２側の内面）は、ＬＥＤ３１ａおよび３１ｂが設けられた基板３０の下面３０ａ（Ｚ２側の面）に当接するように構成されている。
【００２９】
突出部１４１ｂは、図５に示すように、後述するレンズ部材４０の起伏部４６の貫通孔４６ｂを貫通して、起伏部４６の後側（Ｘ２側）の頂部４６ａよりも後側に突出するように形成されている。また、段差部１４１ｃおよび１４１ｄは、起伏部４６の頂部４６ａの裏面（前側（Ｘ１側）の面）に当接するように構成されている。これにより、フロントキャビネット１０とレンズ部材４０との前後方向（Ｘ方向）の位置決めが行われるように構成されている。
【００３０】
第２壁部１４２は、図３および図４に示すように、突出部１４１ｂと同様に最も後側（Ｘ２側）に突出する突出部１４２ａと、突出部１４２ａよりもＹ１側に設けられ、突出部１４２ａよりも突出量が小さい段差部１４２ｂとを有している。突出部１４２ａは、突出部１４１ｂと共に、レンズ部材４０の起伏部４６の貫通孔４６ｂを貫通して、起伏部４６の後側の頂部４６ａよりも後側に突出するように形成されている。また、段差部１４２ｂは、起伏部４６の後述する切欠部４６ｆの後側の面に当接するように構成されている。これによっても、フロントキャビネット１０とレンズ部材４０との前後方向（Ｘ方向）の位置決めが行われるように構成されている。
【００３１】
Ｙ２側の突起部１５は、上下方向（Ｚ方向）に延びる第１壁部１５１と、左右方向（Ｙ方向）に延びる第２壁部１５２とを有している。また、第２壁部１５２は、後述するＬＥＤ３１ｂ側（Ｙ２側）に向かって延びるように形成されている。また、Ｙ２側の突起部１５は、後側（Ｘ２側）から平面的に見てＬ字状に形成されている。第１壁部１５１は、図５に示すように、基板３０を挟み込むための挟持部１５１ａと、後述するレンズ部材４０の起伏部４７の貫通孔４７ｂを貫通して、起伏部４７の後側の頂部４７ａよりも後側に突出する突出部１５１ｂと、段差部１５１ｃおよび１５１ｄとを有している。また、基板３０が挟持部１５１ａと段差部１５１ｃとを分割する溝部に挟み込まれた状態で、挟持部１５１ａの下側の面（溝部のＺ１側の内面）は、基板３０の上面（Ｚ１側の面）に当接するとともに、段差部１５１ｃの上側の面（溝部のＺ２側の内面）は、ＬＥＤ３１ａおよび３１ｂが設けられた基板３０の下面３０ａ（Ｚ２側の面）に当接するように構成されている。また、第２壁部１５２は、レンズ部材４０の起伏部４７の貫通孔４７ｂを貫通して、起伏部４７の後側の頂部４７ａよりも後側に突出する突出部１５２ａと、段差部１５２ｂとを有している。なお、第１壁部１５１および第２壁部１５２は、それぞれ、本発明の「第１遮光部」および「第２遮光部」の一例である。
【００３２】
Ｙ１側のフック部１６は、図３および図４に示すように、壁部１６ａに加えて、Ｙ２側に延びる爪部１６ｂを有している。同様に、Ｙ２側のフック部１７は、壁部１７ａに加えて、Ｙ１側に延びる爪部１７ｂを有している。この爪部１６ｂおよび１７ｂは、レンズ部材４０の係止面４８および４９にそれぞれ係止することによって、レンズ部材４０が後側（Ｘ２側）に移動するのを抑制するように構成されている。
【００３３】
基板３０は、図５および図６に示すように、板状の部材からなり、額縁部１１の後面１２ｄに対して略垂直な前後方向（Ｘ方向）に沿ってフロントキャビネット１０に取り付けられている。また、基板３０は、前後方向に沿ってフロントキャビネット１０に取り付けられている。また、基板３０は、光を発光する一対のＬＥＤ３１ａおよび３１ｂと、図示しない赤外線リモコンなどからの所定の波長の光を受光する受光素子３２とが取り付けられている。なお、ＬＥＤ３１ａおよび３１ｂは、本発明の「光源」の一例である。
【００３４】
図５〜図８に示すように、ＬＥＤ３１ａ、３１ｂおよび受光素子３２は、共に、導光孔１２ａ、１２ｂおよび１２ｃと突起部１４および１５とが設けられた側の面である、基板３０の下面３０ａ（Ｚ２側の面）に取り付けられている。また、ＬＥＤ３１ａ、受光素子３２およびＬＥＤ３１ｂは、前後方向（Ｘ方向）から見て、それぞれ、導光孔１２ａ、１２ｂおよび１２ｃに対して左右方向（Ｙ方向）に略同じ位置に形成されており、この結果、ＬＥＤ３１ａ、受光素子３２およびＬＥＤ３１ｂは、それぞれ、導光孔１２ａ、１２ｂおよび１２ｃに対応する位置に配置されている。なお、ＬＥＤ３１ａ、受光素子３２およびＬＥＤ３１ｂと、導光孔１２ａ、１２ｂおよび１２ｃとは、それぞれ、対向するように配置されていない。そこで、レンズ部材４０により光を直交方向に反射させることによって、ＬＥＤ３１ａおよびＬＥＤ３１ｂからの光が、導光孔１２ａおよび１２ｃからそれぞれ出射されるとともに、導光孔１２ｂから受光した外部からの光が、受光素子３２に受光されるように構成されている。
【００３５】
レンズ部材４０は、図１０〜図１２に示すように、透明な樹脂からなる。また、レンズ部材４０は、３つのレンズ部４１、４２および４３と、レンズ部４１とレンズ部４２とを連結する連結部４４と、レンズ部４２とレンズ部４３とを連結する連結部４５とを含んでいる。つまり、レンズ部材４０では、３つのレンズ部４１、４２および４３が一体的に形成されている。
【００３６】
３つのレンズ部４１、４２および４３は、Ｙ１側からＹ２側に向かってこの順に並ぶように形成されており、光を導光する機能を有している。また、図５〜図８に示すように、前後方向（Ｘ方向）から見て、レンズ部４１は、ＬＥＤ３１ａおよび導光孔１２ａに対して左右方向（Ｙ方向）に略同じ位置に形成されており、レンズ部４２は、受光素子３２および導光孔１２ｂに対して左右方向に略同じ位置に形成されているとともに、レンズ部４３は、ＬＥＤ３１ｂおよび導光孔１２ｃに対して左右方向に略同じ位置に形成されている。
【００３７】
また、レンズ部４１は、図１０〜図１２に示すように、ＬＥＤ３１ａからの光が入光する入光部４１ａと、入光した光が略直交する方向に反射される反射部４１ｂと、反射部４１ｂで反射した光を導光孔１２ａに導く円柱状部４１ｃとを含んでいる。また、レンズ部４２は、導光孔１２ｂを介して外部からの光が受光される円柱状の受光部４２ａと、受光した光が略直交する方向に反射される反射部４２ｂとを含んでいる。また、レンズ部４３は、レンズ部４１と同様に、ＬＥＤ３１ｂからの光が入光する入光部４３ａと、反射部４３ｂと、反射部４３ｂで反射した光を導光孔１２ｃに導く円柱状部４３ｃとを含んでいる。なお、レンズ部４２の大きさは、レンズ部４１および４３の大きさよりも大きくなるように形成されている。
【００３８】
入光部４１ａおよび４３ａは、入光部４１ａおよび４３ａの前側（Ｘ１側）の周辺が切り欠かれることにより、入光部４１ａおよび４３ａの周辺よりもＬＥＤ３１ａおよびＬＥＤ３１ｂ側である上側（Ｚ１側）に突出するように形成されている。また、入光部４１ａおよび４３ａのＺ１側の入光面は、共に、平坦面状に形成されている。
【００３９】
反射部４１ｂ、４２ｂおよび４３ｂは、約４５度の傾斜面から構成されている。これにより、反射部４１ｂおよび４３ｂは、上方（Ｚ１方向）からの光を前方（Ｘ１方向）に反射するように構成されており、反射部４２ｂは、前方からの光を上方に反射するように構成されている。円柱状部４１ｃ、円柱状の受光部４２ａ、および、円柱状部４３ｃは、共に、前方に突出するように形成されており、それぞれ、前側の一部が導光孔１２ａ、１２ｃおよび１２ｂに挿入されるように構成されている。
【００４０】
また、連結部４４および４５は、Ｚ方向に延びるレンズ部材４０の中心線Ｔ（図１２参照）に対して鏡像対称になるように構成されている。したがって、これ以降、Ｙ１側の連結部４４について詳細に説明し、Ｙ２側の連結部４５については簡単に説明する。なお、図６に示すように、レンズ部材４０がフロントキャビネット１０に取り付けられた際に、フロントキャビネット１０の中心線Ｓとレンズ部材４０の中心線Ｔとが略一致するように構成されている。
【００４１】
ここで、第１実施形態では、図１０〜図１２に示すように、Ｙ１側の連結部４４は、後方向（Ｘ２方向）に突出する起伏部４６を含んでいる。この起伏部４６は、中空状に形成されており、その結果、上下方向（Ｚ方向）から見て、後側に頂部４６ａが位置するようなＵ字形状に形成されている。また、図１０および図１１に示すように、起伏部４６の頂部４６ａには、前後方向（Ｘ方向）に貫通するように形成され、後側から見て逆Ｌ字状の貫通孔４６ｂが形成されている。つまり、貫通孔４６ｂは、突起部１４の第１壁部１４１に対応するように上下方向に延びる第１貫通孔４６ｃと、突起部１４の第２壁部１４２に対応するように左右方向に延びる第２貫通孔４６ｄとから構成されている。また、図５および図６に示すように、第１貫通孔４６ｃおよび第２貫通孔４６ｄは、それぞれ、第１壁部１４１の突出部１４１ｂおよび第２壁部１４２の突出部１４２ａが貫通するように形成されている。
【００４２】
また、起伏部４６の上側（Ｚ１側）の側面の全体、および、Ｙ１側の側面の一部には、レンズ部材４０が切り欠かれることによって、それぞれ、切欠部４６ｅおよび４６ｆが形成されている。また、切欠部４６ｅおよび４６ｆから、それぞれ、突起部１４の段差部１４１ｃおよび１４２ｂが露出する（突出する）ように形成されている。
【００４３】
また、Ｙ２側の連結部４５は、図１０および図１１に示すように、後方向（Ｘ２方向）に突出するＵ字形状の起伏部４７を含んでいる。また、起伏部４７の頂部４７ａには、前後方向（Ｘ方向）に貫通するように形成され、後側から見てＬ字状の貫通孔４７ｂが形成されている。なお、貫通孔４７ｂは、上下方向（Ｚ方向）に延びる第１貫通孔４７ｃと、左右方向（Ｙ方向）に延びる第２貫通孔４７ｄとから構成されている。また、図５および図６に示すように、第１貫通孔４７ｃおよび第２貫通孔４７ｄは、それぞれ、第１壁部１５１の突出部１５１ｂおよび第２壁部１５２の突出部１５２ａが貫通するように形成されている。
【００４４】
また、図８に示すように、Ｙ１側において、第１貫通孔４６ｃのＹ１側の内面と、突出部１４１ｂのＹ１側の面とが当接するとともに、Ｙ２側において、第１貫通孔４７ｃのＹ２側の内面と、突出部１５１ｂのＹ２側の面とが当接することによって、Ｙ方向における、レンズ部材４０のフロントキャビネット１０に対する位置決めが行われるように構成されている。
【００４５】
また、図９に示すように、Ｙ１側において、第２貫通孔４６ｄおよび起伏部４６のＺ２側の内側面と、第２壁部１４２のＺ２側の面とが当接するとともに、Ｙ２側において、第２貫通孔４７ｄおよび起伏部４７のＺ２側の内側面と、第２壁部１５２のＺ２側の面とが当接することによって、Ｚ方向における、レンズ部材４０のフロントキャビネット１０に対する位置決めが行われるように構成されている。
【００４６】
また、図１０および図１１に示すように、起伏部４７の上側（Ｚ１側）の側面の全体、および、Ｙ２側の側面の一部には、それぞれ、切欠部４７ｅおよび４７ｆが形成されている。また、切欠部４７ｅおよび４７ｆから、それぞれ、突起部１５の段差部１５１ｃおよび１５２ｂが露出する（突出する）ように形成されている。
【００４７】
この結果、ＬＥＤ３１ａからの光が対応するレンズ部４１および導光孔１２ａ以外に漏れたとしても、Ｕ字状の起伏部４６および起伏部４６を貫通する突起部１４（突出部１４１ｂおよび１４２ａ）や、切欠部４６ｅおよび４６ｆにより、導光孔１２ｂから漏れるのが抑制される。同様に、ＬＥＤ３１ｂからの光が対応するレンズ部４３および導光孔１２ｃ以外に漏れたとしても、Ｕ字状の起伏部４７および起伏部４７を貫通する突起部１５（突出部１５１ｂおよび１５２ａ）や、切欠部４７ｅおよび４７ｆにより、導光孔１２ｂから漏れるのが抑制される。
【００４８】
また、レンズ部材４０には、フロントキャビネット１０のフック部１６および１７がそれぞれ係止する係止面４８および４９が設けられている。
【００４９】
第１実施形態では、上記のように、フロントキャビネット１０に、額縁部１１の後面１２ｄから後方向（Ｘ２方向）に向かって突出するとともに、Ｕ字状の起伏部４６および４７の貫通孔４６ｂおよび４７ｂを貫通するように形成され、光の透過を抑制する突起部１４および１５を設けることによって、Ｕ字状の起伏部４６および４７の内部を通過する光を突起部１４および１５によってそれぞれ遮ることができるので、起伏部４６および４７の内部を通過した光が意図しない導光孔（導光孔１２ｂなど）から光が漏れるのをより効果的に抑制することができる。また、突起部１４および１５を、起伏部４６の頂部４６ａおよび起伏部４７の頂部４７ａにそれぞれ設けられた貫通孔４６ｂおよび４７ｂを貫通するように形成することによって、レンズ部材４０内を移動してレンズ部材４０の起伏部４６および４７の頂部４６ａおよび４７ａに到達した光を、それぞれ、起伏部４６および４７の貫通孔４６ｂおよび４７ｂと突起部１４および１５とにより遮ることができるので、これによっても、意図しない導光孔から光が漏れるのをより効果的に抑制することができる。また、フロントキャビネット１０に光の透過を抑制する突起部１４および１５を設けることにより、フロントキャビネット１０以外の他の部材を光の透過を抑制する部材として設ける必要がないので、部品点数が増加するのを抑制することができる。
【００５０】
また、第１実施形態では、レンズ部材４０にＵ字状の起伏部４６および４７を設けることによって、起伏部４６および４７を設けない場合と比べて、前後方向（Ｘ方向）からの曲げ応力などに対する強度を向上させることができる。これにより、レンズ部材４０をフロントキャビネット１０の組み付ける際に、レンズ部材４０が変形するのを抑制することができるので、ＴＶ１００の組み付け作業性を向上させることができる。
【００５１】
また、第１実施形態では、入光部４１ａおよび４３ａを、入光部４１ａおよび４３ａの周辺よりもＬＥＤ３１ａおよびＬＥＤ３１ｂ側である上側（Ｚ１側）に突出するように形成することによって、意図しない光が入光部４１ａおよび４３ａ周辺のレンズ部材４０から入光部４１ａおよび４３ａに入るのを抑制することができるので、意図しない光が入光部４１ａおよび４３ａを介して導光孔１２ａおよび１２ｃから漏れるのをより一層効果的に抑制することができる。
【００５２】
また、第１実施形態では、突起部１４および１５を、受光部４２ａと入光部４１ａおよび４１ｂとの間にそれぞれ位置する連結部４４および４５において、起伏部４６および４７の貫通孔４６ｂおよび４７ｂをそれぞれ貫通するように構成する。これにより、入光部４１ａおよび４３ａに入射した光が連結部４４および４５を介して受光部４２ａ側に到達するのを、突起部１４および１５および起伏部４６および４７によりそれぞれ抑制することができるので、受光部４２ａに対応する導光孔１２ｂから光が漏れるのをより効果的に抑制することができるとともに、受光部４２ａに余計な光が入射するのもより効果的に抑制することができる。
【００５３】
また、第１実施形態では、突起部１４および１５に、前後方向（Ｘ方向）と直交する上下方向（Ｚ方向）に延びる第１壁部１４１および１５１と、前後方向および上下方向と直交する左右方向（Ｙ方向）に延びる第２壁部１４２および１５２とを設ける。これにより、第１壁部１４１および１５１により上下方向と交差する方向からの光の透過を抑制することができるとともに、第２壁部１４２および１５２より左右方向と交差する方向からの光の透過を抑制することができる。これにより、起伏部４６および４７の内部を通過する光をより一層効果的に遮ることができる。
【００５４】
また、第１実施形態では、基板３０を挟み込むための挟持部１４１ａおよび１５１ａを、それぞれ、第１壁部１４１および１５１に一体的に形成することによって、第１壁部１４１および１５１と一体的に形成された挟持部１４１ａおよび１５１ａを用いて基板３０を挟み込むことができるので、第１壁部１４１および１５１と挟持部１４１ａおよび１５１ａとを別々に設ける場合と比べて、フロントキャビネット１０の構成を簡略化することができる。
【００５５】
また、第１実施形態では、挟持部１４１ａおよび１５１ａが基板３０のＬＥＤ３１ａおよび３１ｂが取り付けられた下面３０ａに当接するように構成することによって、第１壁部１４１および１５１と基板３０との間に隙間が設けられている場合と異なり、ＬＥＤ３１ａおよび３１ｂからの光が第１壁部１４１および１５１と基板３０との間の隙間から光が漏れるのを抑制することができる。これにより、意図しない導光孔から光が漏れるのを効果的に抑制することができる。
【００５６】
また、第１実施形態では、第２壁部１４２および１５２を、それぞれ、ＬＥＤ３１ａ側（Ｙ１側）およびＬＥＤ３１ｂ側（Ｙ２側）に向かって延びるように形成することによって、第２壁部１４２および１５２により、ＬＥＤ３１ａおよび３１ｂに近い部分における光の透過を抑制することができるので、第２壁部１４２および１５２によって光を効果的に遮ることができる。これにより、意図しない導光孔から光が漏れるのを効果的に抑制することができる。
【００５７】
また、第１実施形態では、Ｙ１側において、第１貫通孔４６ｃのＹ１側の内面と、突出部１４１ｂのＹ１側の面とが当接するとともに、Ｙ２側において、第１貫通孔４７ｃのＹ２側の内面と、突出部１５１ｂのＹ２側の面とが当接することによって、Ｙ方向における、レンズ部材４０のフロントキャビネット１０に対する位置決めが行われるように構成する。また、Ｙ１側において、第２貫通孔４６ｄおよび起伏部４６のＺ２側の内側面と、第２壁部１４２のＺ２側の面とが当接するとともに、Ｙ２側において、第２貫通孔４７ｄおよび起伏部４７のＺ２側の内側面と、第２壁部１５２のＺ２側の面とが当接することによって、Ｚ方向における、レンズ部材４０のフロントキャビネット１０に対する位置決めが行われるように構成する。このように構成すれば、突起部１４および１５を貫通孔４６ｂおよび４７ｂにそれぞれ挿入するだけでレンズ部材４０をフロントキャビネット１０に対して位置決めすることができるので、レンズ部材４０のフロントキャビネット１０に対する組み付けを容易に行うことができる。
【００５８】
（第２実施形態）
図１３を参照して、本発明の第２実施形態によるＴＶ２００の構成について説明する。この第２実施形態では、第１壁部１４１をＬＥＤ３１ａのＹ２側にのみ設け、第１壁部１５１を、ＬＥＤ３１ｂのＹ１側のみに設けた上記第１実施形態とは異なり、ＬＥＤ２３１のＹ方向の両側に第１壁部２１４ａおよび２１４ｂを設けた場合について説明する。なお、ＴＶ２００は、本発明の「表示装置」の一例であり、ＬＥＤ２３１は、本発明の「光源」の一例である。
【００５９】
本発明の第２実施形態によるＴＶ２００のフロントキャビネット２１０において、図１３に示すように、額縁部１１の後面１２ｄ（Ｘ２側の面）には、基板２３０およびレンズ部材２４０を位置決めおよび固定するための突起部２１４が設けられている。この突起部２１４は、後面１２ｄに対して略垂直な後方向（Ｘ２方向）に向かって延びるように突出している。なお、フロントキャビネット２１０は、本発明の「筐体」の一例であり、突起部２１４は、本発明の「遮光部」の一例である。
【００６０】
突起部２１４は、上下方向（Ｚ方向）に延びる一対の第１壁部２１４ａおよび２１４ｂと、左右方向（Ｙ方向）に延びる第２壁部２１４ｃとを有している。また、一対の第１壁部２１４ａおよび２１４ｂは、ＬＥＤ２３１に対して左右方向の両側（Ｙ１側およびＹ２側）にそれぞれ配置されているとともに、第２壁部２１４ｃは、第１壁部２１４ａおよび２１４ｂ同士を接続するように、左右方向に沿って延びるように形成されている。つまり、突起部２１４は、後側（Ｘ２側）から平面的に見て、ＬＥＤ２３１を下側（Ｚ２側）から覆うようなＵ字状に形成されている。なお、第１壁部２１４ａおよび２１４ｂは、本発明の「第１遮光部」の一例であり、第２壁部２１４ｃは、本発明の「第２遮光部」の一例である。
【００６１】
また、第１壁部２１４ａおよび２１４ｂと第２壁部２１４ｃとは、レンズ部材２４０の起伏部２４６の貫通孔２４６ｂを貫通して、起伏部２４６の後側（Ｘ２側）の頂部２４６ａよりも後側に突出するように形成されている。
【００６２】
また、基板２３０は、光を発光するＬＥＤ２３１と、図示しない赤外線リモコンなどからの所定の波長の光を受光する受光素子２３２ａと、外部の照度を測定するための受光素子２３２ｂとが取り付けられている。
【００６３】
受光素子２３２ａ、ＬＥＤ２３１および受光素子２３２ｂは、前後方向（Ｘ方向）から見て、それぞれ、導光孔２１２ａ、２１２ｂおよび２１２ｃに対して左右方向（Ｙ方向）に略同じ位置に形成されており、この結果、受光素子２３２ａ、ＬＥＤ２３１および受光素子２３２ｂは、それぞれ、導光孔２１２ａ、２１２ｂおよび２１２ｃに対応する位置に配置されている。
【００６４】
レンズ部材２４０は、３つのレンズ部２４１、２４２および２４３と、レンズ部２４１とレンズ部２４２とを連結する連結部２４４と、レンズ部２４２とレンズ部２４３とを連結する連結部２４５と、係止面４８および４９とを含んでいる。
【００６５】
また、前後方向（Ｘ方向）から見て、レンズ部２４１は、受光素子２３２ａおよび導光孔２１２ａに対して左右方向（Ｙ方向）に略同じ位置に形成されており、導光孔２１２ａから受光した光がレンズ部２４１を介して受光素子２３２ａに受光されるように構成されている。また、レンズ部２４２は、ＬＥＤ２３１および導光孔２１２ｂに対して左右方向に略同じ位置に形成されており、ＬＥＤ２３１からの光がレンズ部２４２を介して導光孔２１２ｂから出射されるように構成されている。また、レンズ部２４３は、受光素子２３２ｂおよび導光孔２１２ｃに対して左右方向に略同じ位置に形成されており、導光孔２１２ｃから受光した光がレンズ部２４３を介して受光素子２３２ｂに受光されるように構成されている。
【００６６】
ここで、第２実施形態では、Ｙ１側の連結部２４４と、Ｙ２側の連結部２４５と、レンズ部２４２の下側とには、後方向（Ｘ２方向）に突出する起伏部２４６が形成されている。また、起伏部２４６の頂部２４６ａには、前後方向（Ｘ方向）に貫通するように形成され、後側から見てＵ字状の貫通孔２４６ｂが形成されている。つまり、貫通孔２４６ｂは、突起部２１４の第１壁部２１４ａ、２１４ｂおよび第２壁部２１４ｃが貫通するように形成されている。
【００６７】
この結果、ＬＥＤ２３１からの光が対応するレンズ部２４２および導光孔２１２ｂ以外に漏れたとしても、Ｕ字状の起伏部２４６および起伏部２４６を貫通する突起部２１４（第１壁部２１４ａ、２１４ｂおよび第２壁部２１４ｃ）などにより、導光孔２１２ａおよび２１２ｃから漏れるのが抑制される。なお、第２実施形態のその他の構成は、上記第１実施形態と略同様である。
【００６８】
第２実施形態では、上記のように、フロントキャビネット２１０に、額縁部１１の後面１２ｄから後方向（Ｘ２方向）に向かって突出するとともに、Ｕ字状の起伏部２４６の貫通孔２４６ｂを貫通するように形成され、光の透過を抑制する突起部２１４を設けることによって、第１実施形態と同様に、意図しない導光孔から光が漏れるのをより効果的に抑制することができる。
【００６９】
また、第２実施形態では、一対の第１壁部２１４ａおよび２１４ｂを、ＬＥＤ２３１に対して左右方向（Ｙ方向）の両側（Ｙ１側およびＹ２側）にそれぞれ配置することによって、ＬＥＤ２３１を左右方向の両側から覆うように第１壁部２１４ａおよび２１４ｂを設けることができるので、広範囲における光を効果的に遮ることができる。これにより、意図しない導光孔から光が漏れるのを効果的に抑制することができる。なお、第２実施形態のその他の効果は、上記第１実施形態と同様である。
【００７０】
（第３実施形態）
図１４を参照して、本発明の第３実施形態によるレンズ部材３４０の構成について説明する。この第３実施形態では、上記第１実施形態のレンズ部材４０にさらに切欠部３４６ｇおよび３４７ｇを設けた場合について説明する。
【００７１】
本発明の第３実施形態によるレンズ部材３４０では、図１４に示すように、Ｙ１側の連結部４４に、後方向（Ｘ２方向）に突出する起伏部３４６が設けられている。この起伏部３４６の頂部４６ａには、前後方向（Ｘ方向）に貫通するように形成され、後側から見て逆Ｌ字状の貫通孔３４６ｂが形成されている。また、貫通孔３４６ｂでは、上記第１実施形態の貫通孔４６ｂと異なり、上下方向（Ｚ方向）に延びる貫通孔３４６ｃの上側が外部と接続するように切り欠かれている。また、起伏部３４６のＹ２側の側面には、切欠部３４６ｇが形成されている。同様に、Ｙ２側の連結部４５に、後方向に突出する起伏部３４７が設けられている。この起伏部３４７の頂部４７ａには、前後方向に貫通するように形成され、後側から見てＬ字状の貫通孔３４７ｂが形成されている。また、貫通孔３４７ｂでは、上下方向に延びる貫通孔３４７ｃの上側が外部と接続するように切り欠かれている。また、起伏部３４７のＹ１側の側面には、切欠部３４７ｇが形成されている。なお、第３実施形態のその他の構成は、上記第１実施形態と略同様である。
【００７２】
第３実施形態では、上記のように、貫通孔３４６ｃおよび３４７ｃの上側が外部と接続するように切り欠くとともに、切欠部３４６ｇおよび３４７ｇを設けることによって、第１実施形態のレンズ部材４０と比べて、切欠いた分、レンズ部材３４０を削減することができるので、レンズ部材３４０内を通過する光の量を減少させることができるので、意図しない導光孔から光が漏れるのをより一層効果的に抑制することができる。また、切欠いた分、レンズ部材３４０を軽量化することができる。なお、第３実施形態のその他の効果は、上記第１実施形態と同様である。
【００７３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７４】
たとえば、上記第１および第２実施形態では、本発明をテレビジョン装置に適用する例を示したが、本発明はこれに限られない。テレビジョン装置以外の表示装置に本発明を適用してもよい。たとえば、ＰＣ（パーソナルコンピュータ）のディスプレイなどに本発明を適用してもよい。
【００７５】
また、上記第１および第２実施形態では、フロントキャビネット１０（２１０）にレンズ部材４０（２４０）を貫通する突起部１４および１５（２１４）を設けた例を示したが、本発明はこれに限られない。本発明では、たとえば、筺体としてのリアキャビネットにレンズ部材を貫通する突起部を設けてもよい。
【００７６】
また、上記第１および第２実施形態では、ＬＥＤを光源として用いた例を示したが、本発明はこれに限られない。本発明では、光源として、ＬＥＤ以外の光源を用いてもよい。
【００７７】
また、上記第１および第２実施形態では、３個の導光孔を設けた例を示したが、本発明はこれに限られない。本発明では、導光孔は、２個設けてもよいし、４個以上設けてもよい。
【００７８】
また、上記第１実施形態では、突出部１４１ｂを起伏部４６の後側の頂部４６ａよりも後側に突出するように形成し、突出部１５１ｂを起伏部４７の後側の頂部４７ａよりも後側に突出するように形成した例を示し、上記第２実施形態では、第１壁部２１４ａおよび２１４ｂと第２壁部２１４ｃとを、起伏部２４６の後側の頂部２４６ａよりも後側に突出するように形成した例を示したが、本発明はこれに限られない。本発明では、突出部を起伏部の後側の頂部と面一になるように形成してもよい。
【符号の説明】
【００７９】
１０、２１０  フロントキャビネット（筺体）
１１  額縁部
１２ａ、１２ｂ、１２ｃ、２１２ａ、２１２ｂ、２１２ｃ  導光孔
１２ｄ  後面
１４、１５、２１４  突起部（遮光部）
２０  表示部
３０、２３０  基板
３１ａ、３１ｂ、２３１  ＬＥＤ（光源）
４０、２４０、３４０  レンズ部材
４１、４２、４３、２４１、２４２、２４３  レンズ部
４４、４５、２４４、２４５  連結部
４６、４７、２４６、３４６、３４７  起伏部
４６ａ、４７ａ、２４６ａ  頂部
１００、２００  ＴＶ（表示装置）
１４１、１５１、２１４ａ、２１４ｂ  第１壁部（第１遮光部）
１４１ａ、１５１ａ  挟持部
１４２、１５２、２１４ｃ  第２壁部（第２遮光部）
【図１】
2015192318.tif 000003
【図２】
2015192318.tif 000004
【図３】
2015192318.tif 000005
【図４】
2015192318.tif 000006
【図５】
2015192318.tif 000007
【図６】
2015192318.tif 000008
【図７】
2015192318.tif 000009
【図８】
2015192318.tif 000010
【図９】
2015192318.tif 000011
【図１０】
2015192318.tif 000012
【図１１】
2015192318.tif 000013
【図１２】
2015192318.tif 000014
【図１３】
2015192318.tif 000015
【図１４】
2015192318.tif 000016